(57)【要約】【課題】意匠性を損なわず、使用目的に応じて容易に配光を制御できる照明器具を提供する。【解決手段】照明器具１０は、複数のＬＥＤ１３と、その照射方向に表裏を逆にしても取り付け可能なレンズ１６とを備える。レンズ１６の表裏にはレンズ部６１・拡散部６２が配置される。レンズ部６１は、略半球状の凸形状をなす凸レンズであり、拡散部６２は、同心円状の複数の山形形状をなすフレネルレンズである。レンズ１６を裏返して取り付けることで、配光を容易に切り替えることができる。【選択図】図２
2013008620.tif 000002
【特許請求の範囲】
【請求項１】
器具本体と、
前記器具本体に取り付けられ、光を発する光源と、
表裏の向きを変えて前記器具本体に取り付け可能な透光性部材であり、裏側が前記光源側を向く状態で取り付けられた場合に前記光源に対向する部分には前記光源からの光の配光を制御する第１配光制御部が設けられ、表側が前記光源側を向く状態で取り付けられた場合に前記光源に対向する部分には前記光源からの光の配光を前記第１配光制御部と異なる配光に制御する第２配光制御部が設けられた透光性部材と
を備えることを特徴とする照明器具。
【請求項２】
前記光源は、複数のＬＥＤからなり、
前記透光性部材は、前記第１配光制御部として、前記複数のＬＥＤのそれぞれに対応する位置に第１レンズが形成された表面と、前記第２配光制御部として、前記複数のＬＥＤのそれぞれに対応する位置に前記第１レンズと異なる形状の第２レンズが形成された裏面とを有することを特徴とする請求項１の照明器具。
【請求項３】
略半球状の凸レンズと略半球状の凹レンズと同心円状の突起又は溝からなるフレネルレンズとの３種類のレンズのうち、前記第１レンズはいずれか２種類のレンズの一方であり、前記第２レンズはその他方であることを特徴とする請求項２の照明器具。
【請求項４】
前記器具本体は、一部が開口されており、
前記第１配光制御部と前記第２配光制御部とのうち、前記透光性部材の裏側が前記光源側を向く状態では前記第１配光制御部のみが前記器具本体の開口された部分から露出し、前記透光性部材の表側が前記光源側を向く状態では前記第２配光制御部のみが前記器具本体の開口された部分から露出することを特徴とする請求項１から３のいずれかの照明器具。
【請求項５】
前記器具本体は、一部が開口されており、
前記透光性部材は、前記器具本体の開口された部分を閉塞するカバーであることを特徴とする請求項１から３のいずれかの照明器具。
【請求項６】
前記照明器具は、さらに、前記器具本体と前記カバーとの間に防水構造を備えることを特徴とする請求項５の照明器具。
【発明の詳細な説明】
【技術分野】
【０００１】
本発明は、照明器具に関するものである。
【背景技術】
【０００２】
従来より、ＬＥＤを光源とし、異なる配光に切り替え可能な照明器具が提供されていた（例えば、特許文献１参照）。
【先行技術文献】
【特許文献】
【０００３】
【特許文献１】特開２００４−１９９８９１号公報
【発明の概要】
【発明が解決しようとする課題】
【０００４】
ＬＥＤを光源とし、ＬＥＤの光をレンズ又は拡散部材で制御する照明器具では、使用者が目的に応じて配光を変更したい場合、別のレンズや拡散部材を用意し、交換しなければならなかった。
【０００５】
また、この点を改良し、同一面に異なる機能のレンズや拡散部材を有し、スライド機構により配光を切り替えることができるものがあるが、使用しないレンズや拡散部材が外観に残り、意匠性が損なわれていた。
【０００６】
また、レンズと器具外郭を構成する樹脂製カバーが一体成形され、カバーがスライド機構である防水形器具の場合、スライド部の防水構造が複雑になるため、部品点数が多く、組立性が良くないという課題があった。
【０００７】
本発明は、例えば、意匠性を損なわず、使用目的に応じて容易に配光を制御できる照明器具を提供することを目的とする。また、本発明は、例えば、部品点数の削減や組立性向上によるコストの低減が図れる照明器具を提供することを目的とする。また、本発明は、例えば、防水性の信頼性を向上させることができる照明器具を提供することを目的とする。
【課題を解決するための手段】
【０００８】
本発明の一の態様に係る照明器具は、
器具本体と、
前記器具本体に取り付けられ、光を発する光源と、
表裏の向きを変えて前記器具本体に取り付け可能な透光性部材であり、裏側が前記光源側を向く状態で取り付けられた場合に前記光源に対向する部分には前記光源からの光の配光を制御する第１配光制御部が設けられ、表側が前記光源側を向く状態で取り付けられた場合に前記光源に対向する部分には前記光源からの光の配光を前記第１配光制御部と異なる配光に制御する第２配光制御部が設けられた透光性部材とを備える。
【発明の効果】
【０００９】
本発明の一の態様によれば、照明器具の外観形状を変えることなく、照明器具の配光を選択的に変更することができるため、照明器具の意匠性を損なわず、使用目的に応じて容易に配光を制御できる。
【図面の簡単な説明】
【００１０】
【図１】実施の形態１に係る照明器具の斜視図。
【図２】実施の形態１に係る照明器具の狭配光及び広配光の状態を示す平面図及びＡ−Ａ断面図。
【図３】実施の形態１に係る照明器具のレンズの表裏の状態を示す平面図及び側面図。
【図４】実施の形態２に係る照明器具の狭配光及び広配光の状態を示す平面図及びＡ−Ａ断面図。
【図５】実施の形態２に係る照明器具のレンズの表裏の状態を示す平面図及び側面図。
【図６】実施の形態３に係る照明器具の狭配光及び広配光の状態を示す平面図及びＡ−Ａ断面図。
【図７】実施の形態３に係る照明器具の樹脂製カバーの表裏の状態を示す平面図及び側面図。
【図８】実施の形態４に係る照明器具の狭配光及び広配光の状態を示す平面図及びＡ−Ａ断面図。
【図９】実施の形態４に係る照明器具の樹脂製カバーの表裏の状態を示す平面図及び側面図。
【図１０】実施の形態５に係る照明器具の狭配光及び広配光の状態を示す平面図及びＡ−Ａ断面図。
【図１１】実施の形態５に係る照明器具の樹脂製カバーの表裏の状態を示す平面図及び側面図。
【図１２】実施の形態６に係る照明器具の狭配光及び広配光の状態を示す平面図及びＡ−Ａ断面図。
【図１３】実施の形態６に係る照明器具の樹脂製カバーの表裏の状態を示す平面図及び側面図。
【発明を実施するための形態】
【００１１】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１２】
実施の形態１．
図１は、本実施の形態に係る照明器具１０の斜視図である。図２は、照明器具１０の狭配光及び広配光の状態を示す平面図及びＡ−Ａ断面図である。図３は、照明器具１０のレンズ１６の表裏の状態を示す平面図及び側面図である。
【００１３】
照明器具１０は、本体１２及び本体カバー２４からなる器具本体１１と、複数のＬＥＤ１３及び基板１４からなるＬＥＤモジュール１５と、レンズ１６と、点灯装置１７と、ＬＥＤモジュール取付台座２１と、レンズ支持部２２とを備える。
【００１４】
本体１２は、一面が開口する直方体状（箱形状）をなしている。開口している一面に対向する面（底面）には、点灯装置１７、ＬＥＤモジュール取付台座２１及びレンズ支持部２２が取り付けられる。
【００１５】
ＬＥＤモジュール１５は、ＬＥＤモジュール取付台座２１に取り付けられる。ＬＥＤモジュール１５において、長方形状（他の形状でもよい）の基板１４の片面には複数のＬＥＤ１３が直線状に５個１列に配置（実装）されている。複数のＬＥＤ１３は、器具本体１１に取り付けられ、光を発する光源の例である。なお、複数のＬＥＤ１３の代わりに、白熱灯、放電灯、有機ＥＬ等、他の種類の光源が用いられてもよい。また、複数のＬＥＤ１３が、直線状に１列に配置される代わりに、直線状に複数列に配置されてもよいし、ランダムに配置されてもよいし、その他の形態で配置されてもよい。また、照明器具１０が、ＬＥＤモジュール１５を１個備える代わりに、１つ又は複数のＬＥＤ１３を基板１４に配置したＬＥＤモジュール１５を複数個備えてもよい。また、ＬＥＤモジュール１５（基板１４）に実装されるＬＥＤ１３の個数が、４個以下あるいは６個以上であってもよい。
【００１６】
点灯装置１７は、ＬＥＤモジュール１５に電力を供給して、ＬＥＤモジュール１５の複数のＬＥＤ１３を点灯させる。
【００１７】
ＬＥＤモジュール取付台座２１は、長方形の平板状（他の形状でもよい）のＬＥＤモジュール取付ベース部と、このＬＥＤモジュール取付ベース部の長手方向の両端から折り曲げられて形成される脚部とを備え、側面形状が「コ」の字形状をなしている。このＬＥＤモジュール取付台座２１の脚部が本体１２の底面に固定される。
【００１８】
レンズ１６は、ＬＥＤモジュール１５の光の照射方向に表裏を逆にしてレンズ支持部２２に取り付け可能なものである。レンズ１６は、長方形の板状をなし、短手方向の一方側に沿って設けられる５つのレンズ部６１と、短手方向の他方側に沿って設けられる５つの拡散部６２とを備える。レンズ１６の長手方向の両端側には、ネジ２３が挿入されるネジ穴が設けられる。レンズ１６は、表裏の向きを変えて器具本体１１に取り付け可能な透光性部材の例である。
【００１９】
レンズ１６は、表側が下方を向く状態、即ち、裏側がＬＥＤモジュール１５（複数のＬＥＤ１３）側を向く状態で器具本体１１に取り付けられた場合にＬＥＤモジュール１５の各ＬＥＤ１３に対向する部分に、第１配光制御部の例としてレンズ部６１を有する。本実施の形態において、レンズ部６１は、レンズ１６の表面で複数のＬＥＤ１３のそれぞれに対応する位置に形成された第１レンズの例である。
【００２０】
また、レンズ１６は、裏側が下方を向く状態、即ち、表側がＬＥＤモジュール１５（複数のＬＥＤ１３）側を向く状態で器具本体１１に取り付けられた場合にＬＥＤモジュール１５の各ＬＥＤ１３に対向する部分に、第２配光制御部（第１配光制御部と配光が異なる）の例として拡散部６２を有する。本実施の形態において、拡散部６２は、レンズ１６の裏面で複数のＬＥＤ１３のそれぞれに対応する位置に形成された第２レンズ（第１レンズと形状が異なる）の例である。
【００２１】
レンズ部６１は、略半球状の凸形状をなす凸レンズであり、拡散部６２は、同心円状の複数の山形形状をなすフレネルレンズである。よって、レンズ部６１と拡散部６２は、互いに異なる配光制御を行う。レンズ部６１と拡散部６２は、ＬＥＤ１３と向き合うようにレンズ支持部２２に取り付けられたとき、ＬＥＤ１３の中心軸と、レンズ部６１・拡散部６２の中心軸が一致する位置関係で配置されている。また、前述したように、レンズ部６１と拡散部６２は、互いに相対する方向に突出するように設けられている。
【００２２】
上記のように、レンズ部６１と拡散部６２は、それぞれＬＥＤ１３と対向するように配置された場合、ＬＥＤ１３からの光の配光を互いに異なる配光（特に配光角であるが、さらに照射方向、光色、光量等が異なっていてもよい）に制御するレンズである。なお、レンズ部６１と拡散部６２は、略半球状の凸レンズと略半球状の凹レンズと同心円状の突起又は溝からなるフレネルレンズとの３種類のレンズから任意に選択した２種類のレンズの組み合わせに置き換えても構わない（本実施の形態では凸レンズとフレネルレンズとの組み合わせを用いている）。あるいは、他の複数種類のレンズ（例えば形状が同じでも大きさが違うものは異なる種類のレンズとして扱う）から任意に選択した２種類のレンズの組み合わせに置き換えても構わない。
【００２３】
レンズ支持部２２は、長方形の枠状のレンズ取付ベース部と、このレンズ取付ベース部の短手方向の両端から折り曲げられて形成される脚部とを備え、側面形状が「コ」の字形状をなしている。このレンズ支持部２２の脚部が本体１２の底面に固定される。
【００２４】
本体カバー２４は、一面が開口する薄型の箱形状をなしている。本体カバー２４において、開口している一面に対向する面（天面）には、レンズ部６１・拡散部６２が挿入される四角形状の窓部２５と、ネジ２３が挿入される２つの丸穴（図示していない）とが設けられている。本体カバー２４は、本体１２（レンズ支持部２２）にネジ２３によって固定される。このとき、本体カバー２４の天面がレンズ１６に面接触するとともに、レンズ１６をレンズ支持部２２へ押し当てる。
【００２５】
上記のように、本体カバー２４は、一部が開口されている。そして、レンズ１６の裏側がＬＥＤモジュール１５（複数のＬＥＤ１３）側を向く状態では、レンズ部６１と拡散部６２とのうち、レンズ部６１のみが本体カバー２４の開口された部分（窓部２５）から露出する。一方、レンズ１６の表側がＬＥＤモジュール１５（複数のＬＥＤ１３）側を向く状態では、レンズ部６１と拡散部６２とのうち、拡散部６２のみが本体カバー２４の開口された部分（窓部２５）から露出する。このため、レンズ部６１と拡散部６２とのうち、配光制御に使用されない方は外側から見えなくなる。よって、本実施の形態によれば、照明器具１０の意匠性を損なわずに、使用目的に応じて容易に配光を制御できる（配光を変更できる）。
【００２６】
次に、照明器具１０の組み立て手順（レンズ１６の装着方法）について説明する。
【００２７】
まず、本体１２にレンズ支持部２２と点灯装置１７とを取り付け、次に、ＬＥＤモジュール取付台座２１を取り付ける。このＬＥＤモジュール取付台座２１にＬＥＤモジュール１５を取り付ける。
【００２８】
次に、レンズ１６を取り付ける。このレンズ１６をレンズ支持部２２に取り付ける際、ＬＥＤ１３の配光を狭配光としたい場合は、ＬＥＤ１３の発光面にレンズ部６１が対向するようにレンズ１６を表向きに（表面が外側を向くように）してレンズ支持部２２に取り付ける。一方、ＬＥＤ１３の配光を広配光としたい場合は、ＬＥＤ１３の発光面に拡散部６２が対向するようにレンズ１６を裏向きに（裏面が外側を向くように）してレンズ支持部２２に取り付ける。
【００２９】
本体カバー２４をネジ２３によってレンズ支持部２２にネジ留めする。照明器具１０の配光を変えたい場合は、ネジ２３を緩めて、本体カバー２４をレンズ支持部２２から外し、レンズ１６を裏返してレンズ支持部２２に取り付けることによって行う。
【００３０】
このように、本実施の形態によれば、照明器具１０の設置場所等に応じて配光を変更したい場合に、レンズ１６を裏返して取り付けることで、容易に配光を切り替えることができる。
【００３１】
以上説明したように、本実施の形態に係る照明器具１０は、複数のＬＥＤ１３と、その照射方向に表裏を逆にしても取り付け可能なレンズ１６とを備え、レンズ１６の表裏には異なる配光制御用のレンズ部６１・拡散部６２が配置され、レンズ１６を裏返して取り付けることで、配光を容易に切り替えることができるものである。
【００３２】
実施の形態２．
本実施の形態について、主に実施の形態１との差異を説明する。
【００３３】
実施の形態１では、照明器具１０の外観形状が直方体状であるが、本実施の形態では、照明器具１０の外観形状が円柱状である。なお、照明器具１０の外観形状は、多角柱状等、他の形状であってもよい。
【００３４】
図４は、照明器具１０の狭配光及び広配光の状態を示す平面図及びＡ−Ａ断面図である。図５は、照明器具１０のレンズ１６の表裏の状態を示す平面図及び側面図である。
【００３５】
本実施の形態では、ＬＥＤモジュール１５において、半円形状（長方形状等、他の形状でもよい）の基板１４の片面に複数のＬＥＤ１３が半円状（曲線状）に７個配置（実装）されている。なお、複数のＬＥＤ１３が、半円状に配置される代わりに、直線状に１列又は複数列に配置されてもよいし、ランダムに配置されてもよいし、その他の形態で配置されてもよい。また、ＬＥＤモジュール１５（基板１４）に実装されるＬＥＤ１３の個数が、６個以下あるいは８個以上であってもよい。
【００３６】
レンズ１６は、円形の板状をなし、表側からみて周方向０〜１８０度の範囲内で半円状に設けられる７つのレンズ部６１と、表側からみて周方向１８０〜３６０度の範囲内で半円状に設けられる７つの拡散部６２とを備える。レンズ１６の表側からみて周方向０度、９０度、１８０度、２７０度の位置の外側端側には、ネジ２３が挿入される切り欠きが設けられる。実施の形態１と同様に、レンズ部６１と拡散部６２は、ＬＥＤ１３と向き合うようにレンズ支持部２２に取り付けられたとき、ＬＥＤ１３の中心軸と、レンズ部６１・拡散部６２の中心軸が一致する位置関係で配置されている。また、レンズ部６１と拡散部６２は、互いに相対する方向に突出するように設けられている。
【００３７】
本体カバー２４において、開口している一面に対向する面（天面）には、レンズ部６１・拡散部６２が挿入される半円形状の窓部２５と、ネジ２３が挿入される４つの丸穴（図示していない）とが設けられている。本体カバー２４は、実施の形態１と同様に、本体１２（レンズ支持部２２）にネジ２３によって固定される。このとき、本体カバー２４の天面がレンズ１６に面接触するとともに、レンズ１６をレンズ支持部２２へ押し当てる。
【００３８】
上記のように、本実施の形態においても、レンズ部６１と拡散部６２とのうち、配光制御に使用されない方は外側から見えなくなるため、実施の形態１と同様の効果が得られる。
【００３９】
実施の形態３．
本実施の形態について、主に実施の形態１との差異を説明する。
【００４０】
本実施の形態に係る照明器具１０は、実施の形態１のレンズ１６が、照明器具１０の外郭を構成するカバーと一体成形されたものである。
【００４１】
図６は、照明器具１０の狭配光及び広配光の状態を示す平面図及びＡ−Ａ断面図である。図７は、照明器具１０の樹脂製カバー１８の表裏の状態を示す平面図及び側面図である。
【００４２】
本実施の形態では、照明器具１０は、器具本体１１と、複数のＬＥＤ１３及び基板１４からなるＬＥＤモジュール１５と、樹脂製カバー１８と、点灯装置１７と、ＬＥＤモジュール取付台座２１と、レンズ支持部２２とを備える。
【００４３】
器具本体１１は、一面が開口する直方体状（箱形状）をなしている。開口している一面に対向する面（底面）には、点灯装置１７及びＬＥＤモジュール取付台座２１が取り付けられる。器具本体１１の開口している部分の内周縁部（周枠部）には、段差があり、レンズ支持部２２を形成している。
【００４４】
ＬＥＤモジュール１５と、点灯装置１７と、ＬＥＤモジュール取付台座２１については、実施の形態１のものと同様である。
【００４５】
樹脂製カバー１８は、ＬＥＤモジュール１５の光の照射方向に表裏を逆にしてレンズ支持部２２に取り付け可能なものである。樹脂製カバー１８は、長方形の板状をなし、短手方向の中央と一端との中間付近に長手方向に沿って設けられる５つのレンズ部６１と、短手方向の中央と他端との中間付近に長手方向に沿って設けられる５つの拡散部６２とを備える。樹脂製カバー１８の四隅には、ネジ２３が挿入されるネジ穴が設けられる。樹脂製カバー１８は、器具本体１１（レンズ支持部２２）にネジ２３によって固定される。樹脂製カバー１８は、表裏の向きを変えて器具本体１１に取り付け可能な透光性部材の例である。
【００４６】
本実施の形態においても、レンズ部６１と拡散部６２は、ＬＥＤ１３と向き合うようにレンズ支持部２２に取り付けられたとき、ＬＥＤ１３の中心軸と、レンズ部６１・拡散部６２の中心軸が一致する位置関係で配置されている。また、レンズ部６１と拡散部６２は、互いに相対する方向に突出するように設けられている。このため、レンズ部６１と拡散部６２とのうち、配光制御に使用されない方は外側から見えないか、少なくとも目立たなくなる。よって、本実施の形態によれば、照明器具１０の意匠性を損なわずに、使用目的に応じて容易に配光を制御できる（配光を変更できる）。
【００４７】
また、上記のように、器具本体１１は、一部が開口されている。そして、樹脂製カバー１８は、器具本体１１の開口された部分を閉塞するカバーである。樹脂製カバー１８の材質としては、例えばアクリルが用いられる。本実施の形態によれば、レンズ部６１と拡散部６２とをカバーと一体成形することで部品点数及びコストの削減が図れる。つまり、本実施の形態では、樹脂製カバー１８にレンズ部６１、拡散部６２を設け、この樹脂製カバー１８を直接器具本体１１に取り付けられるようにしたので、部品点数を少なくすることができる。また、部品点数を少なくできるので、樹脂製カバー１８の表裏を変える際の取り外し部品、取り付け部品を少なくでき、作業性が向上する。
【００４８】
以上説明したように、本実施の形態に係る照明器具１０は、レンズが器具の外郭を構成する樹脂製カバー１８と一体成形されている。このため、照明器具１０の部品点数の削減や組立性向上によるコストの低減が図れる。
【００４９】
実施の形態４．
本実施の形態について、主に実施の形態３との差異を説明する。
【００５０】
実施の形態３では、実施の形態１と同様に、照明器具１０の外観形状が直方体状であるが、本実施の形態では、実施の形態２と同様に、照明器具１０の外観形状が円柱状である。なお、照明器具１０の外観形状は、多角柱状等、他の形状であってもよい。
【００５１】
図８は、照明器具１０の狭配光及び広配光の状態を示す平面図及びＡ−Ａ断面図である。図９は、照明器具１０の樹脂製カバー１８の表裏の状態を示す平面図及び側面図である。
【００５２】
ＬＥＤモジュール１５については、実施の形態２のものと同様である。
【００５３】
樹脂製カバー１８は、円形の板状をなし、表側からみて周方向０〜１８０度の範囲内で半円状に設けられる７つのレンズ部６１と、表側からみて周方向１８０〜３６０度の範囲内で半円状に設けられる７つの拡散部６２とを備える。樹脂製カバー１８の表側からみて周方向０度、９０度、１８０度、２７０度の位置の外側端側には、ネジ２３が挿入されるネジ穴が設けられる。実施の形態３と同様に、レンズ部６１と拡散部６２は、ＬＥＤ１３と向き合うようにレンズ支持部２２に取り付けられたとき、ＬＥＤ１３の中心軸と、レンズ部６１・拡散部６２の中心軸が一致する位置関係で配置されている。また、レンズ部６１と拡散部６２は、互いに相対する方向に突出するように設けられている。
【００５４】
上記のように、本実施の形態においても、レンズ部６１と拡散部６２とのうち、配光制御に使用されない方は外側から見えないか、少なくとも目立たなくなり、またレンズ部６１と拡散部６２とがカバーと一体成形されるため、実施の形態３と同様の効果が得られる。
【００５５】
実施の形態５．
本実施の形態について、主に実施の形態３との差異を説明する。
【００５６】
本実施の形態に係る照明器具１０は、防水構造をもたせたものである。
【００５７】
図１０は、照明器具１０の狭配光及び広配光の状態を示す平面図及びＡ−Ａ断面図である。図１１は、照明器具１０の樹脂製カバー１８の表裏の状態を示す平面図及び側面図である。
【００５８】
本実施の形態では、照明器具１０は、樹脂製カバー１８と器具本体１１との間にパッキン１９を備える。
【００５９】
器具本体１１の開口している部分の内周縁部（周枠部）に形成されたレンズ支持部２２には、溝２６が設けられている。
【００６０】
パッキン１９は、例えばシリコンの材質のスポンジゴムで、Ｏ−リング状の形状をし、器具本体１１のレンズ支持部２２に設けられた溝２６に嵌め込まれる。これにより、容易に照明器具１０の組み立てができ、樹脂製カバー１８で押さえ込むことで信頼性の高い防水構造（防水性能）を得ることができる。
【００６１】
以上説明したように、本実施の形態に係る照明器具１０は、カバー及び本体間が防水構造となっているため、照明器具１０の防水性の信頼性を向上させることができる。
【００６２】
実施の形態６．
本実施の形態について、主に実施の形態５との差異を説明する。
【００６３】
実施の形態５では、実施の形態１及び３と同様に、照明器具１０の外観形状が直方体状であるが、本実施の形態では、実施の形態２及び４と同様に、照明器具１０の外観形状が円柱状である。なお、照明器具１０の外観形状は、多角柱状等、他の形状であってもよい。
【００６４】
図１２は、照明器具１０の狭配光及び広配光の状態を示す平面図及びＡ−Ａ断面図である。図１３は、照明器具１０の樹脂製カバー１８の表裏の状態を示す平面図及び側面図である。
【００６５】
本実施の形態においても、パッキン１９が、器具本体１１のレンズ支持部２２に設けられた溝２６に嵌め込まれるため、実施の形態５と同様の効果が得られる。
【００６６】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６７】
１０  照明器具、１１  器具本体、１２  本体、１３  ＬＥＤ、１４  基板、１５  ＬＥＤモジュール、１６  レンズ、１７  点灯装置、１８  樹脂製カバー、１９  パッキン、２１  ＬＥＤモジュール取付台座、２２  レンズ支持部、２３  ネジ、２４  本体カバー、２５  窓部、２６  溝、６１  レンズ部、６２  拡散部。
【図１】
2013008620.tif 000003
【図２】
2013008620.tif 000004
【図３】
2013008620.tif 000005
【図４】
2013008620.tif 000006
【図５】
2013008620.tif 000007
【図６】
2013008620.tif 000008
【図７】
2013008620.tif 000009
【図８】
2013008620.tif 000010
【図９】
2013008620.tif 000011
【図１０】
2013008620.tif 000012
【図１１】
2013008620.tif 000013
【図１２】
2013008620.tif 000014
【図１３】
2013008620.tif 000015